【事件の表示】
　特願２００１−２７９７６４「情報処理装置、情報処理システム、及びプログラム」拒絶査定不服審判事件〔平成１５年　３月１９日出願公開、特開２００３−　８４８９２〕について、次のとおり審決する。
【結　論】
　本件審判の請求は、成り立たない。
【理　由】
１．手続の経緯
　本願は，平成１３年９月１４日の出願であって，平成１８年３月２日付けで拒絶査定がなされ，これに対し，同年４月６日に拒絶査定に対する審判請求がなされるとともに，同年４月２８日付けで手続補正がなされ，その後当審において平成２１年３月２４日付けで最初の拒絶理由が通知され，平成２１年６月１日付けで手続補正がなされたものである。
　
２．本願発明
　本願の請求項１〜５に係る発明は，平成２１年６月１日付け手続補正書の特許請求の範囲の請求項１〜５に記載された事項により特定されるとおりのものであるところ，請求項１に係る発明（以下，「本願発明１」という。）は，次のとおりのものである。 
「【請求項１】　入力情報，情報処理，前記情報処理をユーザが識別するための表示情報，及び前記表示情報を表示する表示時間を対応づけて記憶する記憶手段と，
　入力手段から入力された入力情報を受信し，前記記憶手段を参照して，前記入力情報に対応づけられた情報処理を実行する第１の手段と，
　前記入力情報が入力されると，前記第１の手段が前記情報処理を実行する前に，前記記憶手段を参照して前記入力情報に対応づけられた表示情報を，アプリケーションプログラムの実行画面を表示可能な実作業表示領域に，前記入力情報に対応づけられた表示時間のあいだ表示する第２の手段と，を備え，
　前記記憶手段に記憶された前記表示時間をユーザが設定できることを特徴とする情報処理装置。」
　
３．引用例
　当審の拒絶理由通知にて引用された「IBM ThinkPad i series ユーザーズ・リファレンス　第１版，１９９９年８月，日本アイ・ビー・エム株式会社発行」（以下，「引用例１」という。）には，図面とともに，次の技術事項が記載されている。
　「イージーボタン
　イージーボタンは電源スイッチの左にある４個のキーで，必要に応じてカスタマイズすることができます。これらのキーを使用すると，ボタンを１回押すだけでプログラムを実行したりＷｅｂサイトに接続したりすることができます。」（第１５〜１６頁），
　「イージーボタン設定ユーティリティ
　イージーボタン設定ユーティリティ・プログラムを使用すると，電源スイッチの左にある４個のキーをカスタマイズし，そのいずれかを押してプログラムを開始したりＷｅｂサイトをロードしたりできます。
 （中略）
 次のウィンドウが表示されます。
　（図）
 このウィンドウは，イージーボタンの現在の割り当てを示したものです。 
　注：このウィンドウには，イージーボタン設定ユーティリティの使用方法に関する説明が含まれています。
　
　イージーボタンのオプション：　「ＩＢＭイージーボタン設定ユーティリティ」ウィンドウの「オプション」ボタンをクリックすると，オプション・ウィンドウには次の項目が表示されます。
　（図）
・「オンスクリーン表示する」項目を使用可能にすると，アプリケーションまたはＷｅｂサイトのタイトルがデスクトップに表示されます。カラーおよびフォントをカスタマイズすることができます。
　注：この機能は，イージーボタン，Ｆｎ＋Ｆ１，Ｆｎ＋Ｆ２，およびメディアセンター・ボタンに対して有効です。
・「サウンド」項目。サウンドのプロパティーでイージーボタンのイベントとしてウェーブ・ファイルが定義されている場合，ユーティリティーはそのウェーブ・ファイルを再生します。
　注：この機能は，イージーボタン，Ｆｎ＋Ｆ１，Ｆｎ＋Ｆ２，およびメディアセンター・ボタンに対して有効です。
・「タスクバー上にアイコンの表示する」項目を使用可能にすると，イージーボタン・アイコンがタスクバーに入ります。
　
　イージーボタンのカスタマイズ：イージーボタンをカスタマイズするには，次の手順で行います。
　１．イージーボタン設定ユーティリティを開始します。
　２．カスタマイズしたいキーの「設定＞＞」ボタンをクリックします。
　次のウィンドウが表示されます。
　（図）
　３．「Ｗｅｂサイト」または「アプリケーションの起動」の横にあるボタンをマークし，「次へ＞」をクリックします。
 　「Ｗｅｂサイト」をマークすると，次のウィンドウが表示されます。
　（図）
 「アプリケーションの起動」をマークすると，次のウィンドウが表示されます。
　（図）
　４．ボタンに割り当てたいＷｅｂサイトまたはアプリケーションを選択してから，「設定」をクリックします。
　「イージーボタン設定ユーティリティ」のメインウィンドウが，再オープンします。
　５．「終了」をクリックして，カスタマイズを終了します。」（第４０〜４４頁），
　また，引用例１第４１頁に示されたウィンドウには「ようこそ！」と表示され，その下部に，「このユーティリティはＩＢＭイージーボタンの設定の表示と変更を行います。ＩＢＭイージーボタンを押すと，設定されているプログラムやＵＲＬが起動します。設定を変更するには，それぞれのボタンの’設定＞＞’ボタンを押してください。」と表示されている。
　次に，引用例１第４２頁に示されたウィンドウには，「スクリーン」と表示され，該表示に続き，チェックボックスと共に「オンスクリーン表示する」と表示されている。
　次に，引用例１第４３頁上段に示されたウィンドウには，「起動するアプリケーション・タイプの選択」と表示され，その下部に「赤ボタンの設定」と表示され，該表示に続き，ラジオボタンと共に「Ｗｅｂサイト　−Ｗｅｂのリストから選ぶか，Ｗｅｂのアドレスの入力ができます。」及び「アプリケーションの起動　−スタートメニュー，プログラムフォルダ，デスクトップからアプリケーションを選択します。」と表示されている。
　次に，引用例１第４３頁下段に示されたウィンドウには，「Ｗｅｂアドレス，アプリケーションの設定」と表示され，その下部に「赤ボタンの設定」と表示され，該表示に続き，ラジオボタンと共に「現在の設定　IBM/Lycos Internet Guide」「Ｗｅｂアドレス　タイトル　ＵＲＬ：」「お気に入り」と表示されている。
　さらに，引用例１第４４頁に示されたウィンドウには「Ｗｅｂアドレス，アプリケーションの設定」と表示され，その下部に「赤ボタンの設定」と表示され，該表示に続き，ラジオボタンと共に「現在の設定　IBM/Lycos Internet Guide」「スタートメニュー・フォルダ」「プログラム・フォルダ」「デスクトップ・フォルダ」と表示されている。 
　次に，引用例１第１３３頁には，「付録Ａ．製品仕様」「ここでは，ThinkPadの機構と仕様について説明します。」と記載され，引用例１第１３４頁に「プロセッサー」「メモリー」「ストレージ・デバイス」「ディスプレイ」「キーボード」と記載されている。
　
　引用例１の「IBM ThinkPad」が，「ディスプレイ」，「キーボード」とを入出力とし，「プロセッサー」，「メモリー」及び「ストレージ・デバイス」を備える「情報処理装置」であることは，明らかなことであるから，引用例１には，
「イージーボタンは電源スイッチの左にある４個のキーで，これらのキーを使用すると，ボタンを１回押すだけでプログラムを実行したりＷｅｂサイトに接続したりすることができ，さらに，イージーボタン設定ユーティリティ・プログラムを使用し，ボタンに割り当てたいＷｅｂサイトまたはアプリケーションを選択して，４個のキーをカスタマイズでき，さらに「オンスクリーン表示する」項目を使用可能にすると，アプリケーションまたはＷｅｂサイトのタイトルがデスクトップに表示される，メモリー及びストレージ・デバイスを備えた情報処理装置」の発明（引用発明１）が記載されている。
　
４．対比・判断
　そこで，本願発明１と引用発明１とを対比すると，引用発明１の「イージーボタン」と呼ばれる「電源スイッチの左にある４個のキー」が本願発明１の「入力手段」に相当し，引用発明１において該４個のキー（イージーボタン）の何れが「押」されたか，という情報が，本願発明１の「入力手段から入力された入力情報」に相当する。そして，引用発明１において，該情報が「情報処理装置」に受信されていることは明らかである。
　次に，引用発明１において，４個のキー（イージーボタン）にそれぞれ割り当てられた「Ｗｅｂサイト」への接続，または「アプリケーション」の実行が，本願発明１の「前記入力情報に対応づけられた情報処理」に相当する。
　次に，引用発明１の「デスクトップ」は，アプリケーションプログラムのウィンドウを表示する領域であるから，本願発明１の「アプリケーションプログラムの実行画面を表示可能な実作業表示領域」に相当する。
　次に，「オンスクリーン表示」とは，ユーザが認識しうるように文字ないし記号をディスプレイ上に重ねて表示することを意味するから，引用発明１の「デスクトップに」「オンスクリーン表示」される「アプリケーションまたはＷｅｂサイトのタイトル」が，本願発明１の「前記情報処理をユーザが識別するための表示情報」に相当するといえる。
　そして，引用発明１では，「４個のキー（イージーボタン）」の中で「押」されたキー（イージーボタン）に割り当てられた「アプリケーションまたはＷｅｂサイトのタイトル」が「オンスクリーン表示」され，かつ該「Ｗｅｂサイト」への接続または「アプリケーション」の実行が行われるから，引用発明１には，「４個のキー（イージーボタン）」と，「Ｗｅｂサイト」への接続または「アプリケーション」の実行と，「デスクトップに」「オンスクリーン表示」される「アプリケーションまたはＷｅｂサイトのタイトル」と，が「メモリー及びストレージ・デバイス」に対応づけて記憶されていることは明らかである。 
　したがって，引用発明１における「メモリー及びストレージ・デバイス」と本願発明１における「入力情報，情報処理，前記情報処理をユーザが識別するための表示情報，及び前記表示情報を表示する表示時間を対応づけて記憶する記憶手段」とは「入力情報，情報処理，前記情報処理をユーザが識別するための表示情報を対応づけて記憶する記憶手段」である点で一致する。
　次に，引用発明１は，「４個のキー（イージーボタン）」の何れが「押」されたかの情報を受信し，前記記憶された対応付けを参照して「Ｗｅｂサイト」への接続，または「アプリケーション」の実行を行っているから，引用発明１も，本願発明でいう「第１の手段」を有しているといえる。
　次に，引用発明１の「アプリケーションまたはＷｅｂサイトのタイトル」は，「４個のキー（イージーボタン）」が押されると，「デスクトップ」上に「オンスクリーン表示」されるのであるから，引用発明１のかかる「オンスクリーン表示する」手段と本願発明１の「前記入力情報が入力されると，前記第１の手段が前記情報処理を実行する前に，前記記憶手段を参照して前記入力情報に対応づけられた表示情報を，アプリケーションプログラムの実行画面を表示可能な実作業表示領域に，前記入力情報に対応づけられた表示時間のあいだ表示する第２の手段」とは「前記入力情報が入力されると，前記記憶手段を参照して前記入力情報に対応づけられた表示情報を，アプリケーションプログラムの実行画面を表示可能な実作業表示領域に表示する第２の手段」である点で一致する。
　
　従って，本願発明１と引用発明１とは，
（一致点）
「入力情報，情報処理，前記情報処理をユーザが識別するための表示情報を対応づけて記憶する記憶手段と，
　入力手段から入力された入力情報を受信し，前記記憶手段を参照して，前記入力情報に対応づけられた情報処理を実行する第１の手段と，
　前記入力情報が入力されると，前記記憶手段を参照して前記入力情報に対応づけられた表示情報を，アプリケーションプログラムの実行画面を表示可能な実作業表示領域に表示する第２の手段と，を備えた情報処理装置。」
　の点で一致し，下記の点で相違する。
　
［相違点１］：本願発明１では，記憶手段が，入力情報，情報処理，前記情報処理をユーザが識別するための表示情報，及び前記表示情報を表示する表示時間を対応づけて記憶し，第２の手段が，入力情報に対応づけられた表示情報を，前記入力情報に対応づけられた表示時間のあいだ表示し，前記記憶手段に記憶された前記表示時間をユーザが設定できるのに対し，引用発明１では，記憶手段が，入力情報，情報処理，前記情報処理をユーザが識別するための表示情報を対応づけて記憶し，第２の手段が，入力情報に対応づけられた表示情報を表示しているものの，前記記憶手段が「表示情報を表示する表示時間」を対応づけて記憶する点が記載されておらず，第２の手段が，入力情報に対応づけられた表示情報を，前記入力情報に対応づけられた表示時間のあいだ表示し，前記記憶手段に記憶された前記表示時間をユーザが設定できる点についても記載されていない点。
　
［相違点２］：第２の手段が，本願発明１では，第１の手段が前記情報処理を実行する前に表示情報を表示しているの対し，引用発明１では，第１の手段が前記情報処理を実行する前に表示情報を表示しているか否か明らかでない点。
　
　そこで上記相違点について検討すると，
［相違点１］について
　オンスクリーン表示の表示時間をユーザが設定できるようにすることは，例えば，“IBM ThinkPad Windows98/Windows2000用 IBM イージーボタン II V1.20”，[online]，リリース日： ２０００年５月３０日，［平成２１年６月１８日検索］，インターネット
＜ＵＲＬ： http://www-06.ibm.com/jp/domino05/pc/download/download.nsf/jtechinfo/SYD0-009AF1F＞
に「ファイルについて　対応機種:ThinkPad i シリーズ 1200　対応オペレーティング・システム:Windows 98, Windows 2000　ダウンロード　バージョン: 1.20 リリース日: 2000/05/30 」と掲載されたダウンロードファイル中の，リリースレター (Readme)「kqe107.txt」， 及びIBM ThinkPad Windows98/Windows2000用 IBM イージーボタン II (2/2枚) 「 kqe1072.exe 」を解凍して得られるヘルプファイル「TPONSCR」をテキストファイルとして読み出したテキストデータに，それぞれ「【ファイル紹介】 ２０００年０５月０９日
ＩＢＭ　ＴｈｉｎｋＰａｄ ｉ シリーズ
Ｗｉｎｄｏｗｓ９８／Ｗｉｎｄｏｗｓ２０００用 ＩＢＭ イージーボタン ＩＩ
バージョン　１．２０
−−−−−−−−−−−−−−−−−−−−−−−−−−−−−−−−−−−
プログラムの役目
このプログラムには，次のＴｈｉｎｋＰａｄのＩＢＭ イージーボタン機能を使用可能にしたり，最新にするソフトウェアが入っています。
　−　ＴｈｉｎｋＰａｄ　ｉ シリーズ １２００」（「kqe107.txt」），及び「画面のサンプルが表示されます。設定を変えると，サンプルも対応して変わります。
　スピーカーボリュームは，Fn+PgUp/PgDn キーにより変更できます。画面上で，そのときのボリュームレベルを確認することができます。
　オンスクリーン表示機能を有効にするには，このチェックボックスをオンにします。右上にリストアップされた機能を使ったとき，画面上で確認することができます。
　機能によっては，画面に文字を表示するものがあります。その表示フォントを選びます。
　表示サイズを変更します。
　
画面への表示は数秒間だけ現れます。その表示時間を指定します。
　表示色を変更します。
　スピーカーボリューム変更時にビープ音を鳴らすには，このチェックボックスをオンにします。
　スピーカーボリュームは，ボリュームコントロールボタンにより変更できます。画面上で，そのときのボリュームレベルを確認することができます。　スクリーンの明るさは，Fn+Home/End キーにより変更できます。画面上で，そのときの明るさのレベルを確認することができます。
　ThinkLight は，Fn+PgUp キーにより点灯／消灯することができます。画面上で，そのときの状態を確認することができます。
　ThinkPad ボタンによりアプリケーションを起動することができます。画面上では，アプリケーション名を確認することができます。
　外付けモニターを接続したとき，Fn+F7 キーによりデスクトップ画面の表示を「外付けモニター」，「LCD パネル」，「外付けモニターと LCD パネル」の間で切り替えることができます。画面上で，そのディスプレイ装置を確認することができます。
　外付けモニターにデスクトップ画面が表示されるとき表示されます。   LCD パネルにデスクトップ画面が表示されるとき表示されます。
　外付けモニターと LCD パネルに同時にデスクトップ画面が表示されるとき表示されます。
　ThinkPad ボタンの設定を変更することができます。」（ヘルプファイル「TPONSCR」をテキストファイルとして読み出したテキストデータ（当審注：可読部分のみ記載した。また，下線は当審にて付したものである。））と記載され，また，当審の拒絶理由通知において周知例として引用された「マルチメディアキーボート取扱説明書，SKB-CMMUSB，サンワサプライ株式会社，２００１．０７，ｐ．１〜１６」には，第１５頁の図中に「オンスクリーン状態ディスプレイのタイムアウト」との記載とともに「スライドスイッチ」が表示され，該「スライドスイッチ」に関して，「●状態ディスプレイのタイムアウト・・・初期設定値は０．５秒ですが，０．５秒から５秒の間で変更することができます。スライドスイッチをマウスでドラッグして調整してください。」（第１５頁第２１〜２２行）と記載され，さらに，特開平３−１０６２７６号公報に「本発明はこのような点に鑑みてなされたものであり，その目的は，オンスクリーン時間を切り換えできるようにして，馴染の薄い人には長時間表示させ，慣れた人には短時間表示させることができるようにしたオンスクリーン制御装置を提供することである。」（第２頁左上欄第５〜１０行），「操作部にオンスクリーン表示時間を切り換えるキーを設け，該キーの操作により上記オンスクリーン表示時間が現在の表示時間から別の表示時間に切り換えられるようにした。」（第２頁左上欄第１８行〜同頁右上欄第１行），「なお，上記ではオンスクリーン表示時間を２種類に切り換えできるようにしたが，３種類以上に切り換えることもできることは勿論である。
［発明の効果］
　以上説明したように本発明によれば，オンスクリーンされる文字，記号，パターンのタイムアウトまでの時間を切り換えることができるので，使用者の都合に応じてその時間を選択することができるようになるという利点がある。」（第３頁左上欄第８〜１６行）と記載されているように，周知技術である。
　そして，設定された内容を記憶手段に記憶しておくこと，及びユーザの希望に沿って設定をできるだけきめ細やかに行うことは普通に知られていることであるから，引用発明１に該周知技術を適用し，引用発明１において「メモリー及びストレージ・デバイス」（記憶手段）が，「４個のキー（イージーボタン）」と，「Ｗｅｂサイト」への接続または「アプリケーション」の実行と，「デスクトップに」「オンスクリーン表示」される「アプリケーションまたはＷｅｂサイトのタイトル」（「入力情報，情報処理，前記情報処理をユーザが識別するための表示情報」）を対応づけて記憶する際，さらに「表示情報を表示する表示時間」を対応づけて記憶するようにし，引用発明１の「オンスクリーン表示する」手段（第２の手段）が，「４個のキー（イージーボタン）」に対応づけられた「アプリケーションまたはＷｅｂサイトのタイトル」（表示情報）を，前記「４個のキー（イージーボタン）」に対応づけられた表示時間のあいだ表示し，「メモリー及びストレージ・デバイス」（記憶手段）に記憶された前記表示時間をユーザが設定できるようにすることは，当業者にとって容易である。
　
［相違点２］について
　プログラムの起動時に「タイトル」を最初に表示することは普通に知られていることであるから，引用発明１において「Ｗｅｂサイト」への接続または「アプリケーション」の実行前に「アプリケーションまたはＷｅｂサイトのタイトル」をオンスクリーン表示するようにすることは，当業者にとって容易である。
　
　従って，本願発明１は，引用例１に記載された発明及び周知技術に基づいて当業者が容易に発明をすることができたものである。 
　
５．まとめ
　以上のとおり，本願の請求項１に係る発明は，特許法第２９条第２項の規定により特許を受けることができないものである。
　したがって，その余の請求項について論及するまでもなく，本願は，拒絶すべきものである。
　よって，結論のとおり審決する。